【手続補正書】
【提出日】平成19年5月28日(2007.5.28)
【手続補正１】
【補正対象書類名】明細書
【補正対象項目名】特許請求の範囲
【補正方法】変更
【補正の内容】
【特許請求の範囲】
【請求項１】
参照電圧発生回路と増幅器を含み主電源線から電源電圧の供給を受けて該主電源線の電圧とは異なる電圧を発生するレギュレータ回路であって、制御信号に基づいて出力電圧を調整可能な集積化レギュレータ回路に於いて、
前記調整を、スイッチトランジスタにより前記レギュレータ回路内の、一端が前記主電源線の一方に接続された抵抗の両端を短絡または開放することにより行うことを特徴とする集積化レギュレータ回路。
【請求項２】
参照電圧発生回路と増幅器を含み主電源線から電源電圧の供給を受けて該主電源線の電圧とは異なる電圧を発生するレギュレータ回路であって、制御信号に基づいて出力電圧を調整可能な集積化レギュレータ回路に於いて、
前記調整は、前記制御信号に基づいて短絡または開放される少なくとも１個のスイッチトランジスタにより、前記参照電圧発生回路の第１の構成要素（群）と第２の構成要素（群）とからなる構成要素群の電気的接続状態を変化させて行うことを特徴とする集積化レギュレータ回路。
【請求項３】
前記構成要素群は、前記スイッチトランジスタと前記第２の構成要素（群）とで形成する直列回路を、前記第１の構成要素（群）に並列に接続したものか、前記スイッチトランジスタと前記第２の構成要素（群）で形成する並列回路を、前記第１の構成要素（群）に直列に接続したもののうち、どちらかであることを特徴とする請求項２に記載の集積化レギュレータ回路。
【請求項４】
前記第１の構成要素（群）と前記第２の構成要素（群）とは、それぞれ少なくとも１個のトランジスタを含み、前記第１の構成要素（群）内の少なくとも１個のトランジスタと前記第２の構成要素（群）内の少なくとも１個のトランジスタとのゲートを接続したことを特徴とする請求項３に記載の集積化レギュレータ回路。
【請求項５】
前記スイッチトランジスタは、ソースを前記主電源線の一方に接続したことを特徴とする請求項１から４のいずれか１つに記載の集積化レギュレータ回路。
【請求項６】
前記構成要素群は、前記第１の構成要素（群）と前記第２の構成要素（群）とを直列または並列に接続したものとし、
前記第２の構成要素（群）は、少なくとも１個のトランジスタを含み、該トランジスタのゲート電位を前記制御信号に基づいて相異なる第１および第２の電位に切り換えることを特徴とする請求項２に記載の集積化レギュレータ回路。
【請求項７】
前記構成要素群は、前記第１の構成要素（群）と前記第２の構成要素（群）とを直列または並列に接続したものとし、
前記第１の構成要素（群）は、少なくとも１個のトランジスタを含み、前記第１および第２の電位の一方は、前記第１の構成要素（群）内の前記トランジスタのゲート電位とし、他の一方は、前記第２の構成要素（群）内の前記トランジスタがオフとなる電位または、前記トランジスタの内部抵抗がより小さくなる電位であることを特徴とする請求項６に記載の集積化レギュレータ回路。
【請求項８】
前記増幅器の増幅率を１としたことを特徴とする請求項１から７のいずれか１つに記載の集積化レギュレータ回路。
【請求項９】
請求項１から８のいずれか１つに記載の集積化レギュレータ回路を有し、
前記集積化レギュレータ回路の出力から電源電圧の供給を受けて動作する発振回路と、
該発振回路の発振状態を検出して前記制御信号を出力する発振検出回路とを備え、
前記制御信号に基づいて前記発振回路の発振起動時と安定発振時とで前記集積化レギュレータ回路の出力電圧を変化させて調整することを特徴とする集積化発振回路。
【請求項１０】
前記第１の構成要素（群）は、ドレインとゲートとがそれぞれ異なる点に接続されたトランジスタを含み、
前記スイッチトランジスタは、前記発振起動時にのみ短絡されることを特徴とする請求項９に記載の集積化発振回路。
【請求項１１】
前記第１の構成要素（群）は、ドレインとゲートとが接続されたトランジスタを含み、
前記スイッチトランジスタは、前記安定発振時にのみ短絡されることを特徴とする請求項９に記載の集積化発振回路。
【請求項１２】
前記第１の構成要素（群）は、ドレインとゲートとがそれぞれ異なる点に接続されたトランジスタを含み、
前記第２の構成要素（群）内の前記トランジスタのゲート電位を、前記発振起動時にのみ前記第１の構成要素（群）内の前記トランジスタのゲート電位とすることを特徴とする請求項９に記載の集積化発振回路。
【請求項１３】
前記第１の構成要素（群）は、ドレインとゲートとが接続されたトランジスタを含み、
前記第２の構成要素（群）内の前記トランジスタのゲート電位を、前記安定発振時にのみ前記第１の構成要素（群）内の前記トランジスタのゲート電位とすることを特徴とする請求項９に記載の集積化発振回路。
【請求項１４】
前記第１の構成要素（群）は、ドレインとゲートとがそれぞれ異なる点に接続されたトランジスタを含み、
前記第２の構成要素（群）内の前記トランジスタのゲート電位を、前記安定発振時にのみ前記第１の構成要素（群）内の前記トランジスタのゲート電位とすることを特徴とする請求項９に記載の集積化発振回路。
【請求項１５】
前記第１の構成要素（群）は、ドレインとゲートとが接続されたトランジスタを含み、
前記第２の構成要素（群）内の前記トランジスタのゲート電位を、前記発振起動時にのみ前記第１の構成要素（群）内の前記トランジスタのゲート電位とすることを特徴とする
請求項９に記載の集積化発振回路。
【手続補正２】
【補正対象書類名】明細書
【補正対象項目名】００１７
【補正方法】変更
【補正の内容】
【００１７】
【課題を解決するための手段】
上記課題を解決するために本発明は、以下に示す構成を採用する。
本発明の集積化レギュレータ回路は、参照電圧発生回路と増幅器を含み主電源線から電源電圧の供給を受けて主電源線の電圧とは異なる電圧を発生するレギュレータ回路であって、制御信号に基づいて出力電圧を調整可能な集積化レギュレータ回路に於いて、その調整を、スイッチトランジスタによりレギュレータ回路内の、一端が主電源線の一方に接続された抵抗の両端を短絡または開放することにより行うことを特徴とする。
また、本発明の集積化レギュレータ回路は、参照電圧発生回路と増幅器を含み主電源線から電源電圧の供給を受けて主電源線の電圧とは異なる電圧を発生するレギュレータ回路であって、制御信号に基づいて出力電圧を調整可能な集積化レギュレータ回路に於いて、その調整は、制御信号に基づいて短絡または開放される少なくとも１個のスイッチトランジスタにより、参照電圧発生回路の第１の構成要素（群）と第２の構成要素（群）とからなる構成要素群の電気的接続状態を変化させて行うことを特徴とする。
また、本発明の集積化レギュレータ回路は、構成要素群は、スイッチトランジスタと第２の構成要素（群）とで形成する直列回路を、第１の構成要素（群）に並列に接続したものか、スイッチトランジスタと第２の構成要素（群）で形成する並列回路を、第１の構成要素（群）に直列に接続したもののうち、どちらかであることを特徴とする。
また、本発明の集積化レギュレータ回路は、第１の構成要素（群）と第２の構成要素（群）とは、それぞれ少なくとも１個のトランジスタを含み、第１の構成要素（群）内の少なくとも１個のトランジスタと第２の構成要素（群）内の少なくとも１個のトランジスタとのゲートを接続したことを特徴とする。
また、本発明の集積化レギュレータ回路は、スイッチトランジスタは、ソースを主電源線の一方に接続したことを特徴とする。
また、本発明の集積化レギュレータ回路は、構成要素群は、第１の構成要素（群）と第２の構成要素（群）とを直列または並列に接続したものとし、第２の構成要素（群）は、少なくとも１個のトランジスタを含み、このトランジスタのゲート電位を制御信号に基づいて相異なる第１および第２の電位に切り換えることを特徴とする。
また、本発明の集積化レギュレータ回路は、構成要素群は、第１の構成要素（群）と第２の構成要素（群）とを直列または並列に接続したものとし、第１の構成要素（群）は、少なくとも１個のトランジスタを含み、第１および第２の電位の一方は、第１の構成要素（群）内のトランジスタのゲート電位とし、他の一方は、第２の構成要素（群）内のトランジスタがオフとなる電位または、トランジスタの内部抵抗がより小さくなる電位であることを特徴とする。
また、本発明の集積化レギュレータ回路は、増幅器の増幅率を１としたことを特徴とする。
さらに、上述の集積化レギュレータ回路を有する集積化発振回路は、以下に示す構成を採用する。
本発明の集積化発振回路は、集積化レギュレータ回路の出力から電源電圧の供給を受けて動作する発振回路と、発振回路の発振状態を検出して制御信号を出力する発振検出回路とを備え、制御信号に基づいて発振回路の発振起動時と安定発振時とで集積化レギュレータ回路の出力電圧を変化させて調整することを特徴とする。
また、本発明の集積化発振回路は、第１の構成要素（群）は、ドレインとゲートとがそれぞれ異なる点に接続されたトランジスタを含み、スイッチトランジスタは、発振起動時
にのみ短絡されることを特徴とする。
また、本発明の集積化発振回路は、第１の構成要素（群）は、ドレインとゲートとが接続されたトランジスタを含み、  スイッチトランジスタは、安定発振時にのみ短絡されることを特徴とする。
また、本発明の集積化発振回路は、第１の構成要素（群）は、ドレインとゲートとがそれぞれ異なる点に接続されたトランジスタを含み、第２の構成要素（群）内のトランジスタのゲート電位を、発振起動時にのみ第１の構成要素（群）内のトランジスタのゲート電位とすることを特徴とする。
また、本発明の集積化発振回路は、第１の構成要素（群）は、ドレインとゲートとが接続されたトランジスタを含み、  第２の構成要素（群）内のトランジスタのゲート電位を、安定発振時にのみ第１の構成要素（群）内のトランジスタのゲート電位とすることを特徴とする。
また、本発明の集積化発振回路は、第１の構成要素（群）は、ドレインとゲートとがそれぞれ異なる点に接続されたトランジスタを含み、第２の構成要素（群）内のトランジスタのゲート電位を、安定発振時にのみ第１の構成要素（群）内のトランジスタのゲート電位とすることを特徴とする。
また、本発明の集積化発振回路は、第１の構成要素（群）は、ドレインとゲートとが接続されたトランジスタを含み、  第２の構成要素（群）内のトランジスタのゲート電位を、発振起動時にのみ第１の構成要素（群）内のトランジスタのゲート電位とすることを特徴とする。
【手続補正３】
【補正対象書類名】明細書
【補正対象項目名】００６５
【補正方法】変更
【補正の内容】
【００６５】
この図３（ａ）に示す実施形態においては前記第３、第４、第６、第７、第８、第１０の手段を用いている。この場合に於いて、前記第１の構成要素（群）は前記Ｎ型トランジスタ１４Ａのみで構成され、前記第２の構成要素（群）は前記Ｎ型トランジスタ１４Ｂでのみ構成される。スイッチトランジスタは前記Ｎ型トランジスタ５１である。
【手続補正４】
【補正対象書類名】明細書
【補正対象項目名】００９８
【補正方法】変更
【補正の内容】
【００９８】
【発明の効果】
以上、詳述したように、本発明によれば、異なる値のレギュレータ電圧を発生させるために大きなサイズの抵抗あるいはトランジスタを付加する必要がなくなり、集積回路の面積を小さくする事が出来る。
特に増幅器を増幅率１のバッファアンプとし、参照電圧発生回路の出力電圧を切り換える構成にした場合は、該増幅器の増幅率設定用抵抗群を省略する事が出来るのでその効果は特に大きく、該抵抗群を流れる電流がなくなるので、回路全体の低消費電力化にも貢献する事が出来る。
更に図２（ａ）、図４（ａ）、図４（ｄ）、図５（ａ）、図６（ｃ）に示した実施形態の場合は、多少構成が複雑になるものの、参照電圧を決定するトランジスタに直列にスイッチトランジスタが挿入されないため、安定発振時にも発振起動時にもより正確な参照電圧を発生する事が出来る。